(57)【要約】  ワイヤレスデバイスのリレー動作を変更するためのシステム、方法およびデバイスが開示される。一態様では、ワイヤレスノードのリレー動作を変更するための装置は、ワイヤレスノードにワイヤレスノードのアクセスポイント動作を有効にするように要求するか、またはワイヤレスノードにワイヤレスノードのアクセスポイント動作を無効にするように命令するメッセージを生成するように構成された処理システムを備える。メッセージはリレーアクティブ化情報要素を備える。メッセージは、ワイヤレスノードがアクセスポイント動作を有効にするかまたはアクセスポイント動作を無効にする時間を示すフィールドと、メッセージが、ワイヤレスノードにアクセスポイント動作を有効にするように要求しているのかワイヤレスノードにアクセスポイント動作を無効にするように命令しているのかを示すフィールドとのうちの１つまたは複数を備える。
2016541163.tif 000002
【特許請求の範囲】
【請求項１】
ワイヤレスノードのリレー動作を変更するための装置であって、前記装置が、
前記ワイヤレスノードに前記ワイヤレスノードのアクセスポイント動作を有効にするように要求するか、または前記ワイヤレスノードに前記ワイヤレスノードの前記アクセスポイント動作を無効にするように命令するメッセージを生成するように構成された処理システム
を備える装置。
【請求項２】
前記処理システムが、前記ワイヤレスノードに前記アクセスポイント動作を有効にするように要求する前記メッセージの順守または非順守を示す応答メッセージを受信するようにさらに構成された、請求項１に記載の装置。
【請求項３】
前記メッセージがリレーアクティブ化情報要素を備え、ここにおいて、前記処理システムが、前記要求または前記命令を示すように前記リレーアクティブ化情報要素中の少なくとも１ビットを設定するようにさらに構成された、請求項１に記載の装置。
【請求項４】
前記処理システムが、以下、すなわち、プローブ要求フレーム、プローブ応答フレーム、関連付け要求フレーム、関連付け応答フレーム、およびアクション肯定応答フレームのうちの１つ中に前記メッセージを埋め込むように構成された、請求項１に記載の装置。
【請求項５】
前記メッセージは、前記ワイヤレスノードが前記アクセスポイント動作を有効にするかまたは前記アクセスポイント動作を無効にする時間を示すフィールドを備え、ここにおいて、前記処理システムが、前記時間を示すように前記フィールドの値を設定するようにさらに構成された、請求項１に記載の装置。
【請求項６】
前記メッセージは、前記ワイヤレスノードが前記アクセスポイント動作を提供する他のワイヤレスノードの数を示すためのフィールドを備え、ここにおいて、前記処理システムが、他のワイヤレスノードの前記数を示すように前記フィールドの値を設定するようにさらに構成された、請求項１に記載の装置。
【請求項７】
前記処理システムが、前記ワイヤレスノードの前記アクセスポイント動作を無効にすることを告知するか、または前記ワイヤレスノードの前記アクセスポイント動作を有効にするためのパーミッションを要求する、前記ワイヤレスノードからのメッセージを処理するようにさらに構成された、請求項１に記載の装置。
【請求項８】
ワイヤレスノードのリレー動作を変更するための方法であって、前記方法が、
前記ワイヤレスノードに前記ワイヤレスノードのアクセスポイント動作を有効にするように要求するか、または前記ワイヤレスノードに前記ワイヤレスノードの前記アクセスポイント動作を無効にするように命令するメッセージを生成することと、
前記ワイヤレスノードへの送信のために前記メッセージを与えることと
を備える方法。
【請求項９】
前記ワイヤレスノードに前記アクセスポイント動作を有効にするように要求する前記メッセージの順守または非順守を示す応答メッセージを受信することをさらに備える、請求項８に記載の方法。
【請求項１０】
前記メッセージが、前記要求または前記命令を示すための少なくとも１ビットを備えるリレーアクティブ化情報要素を備える、請求項８に記載の方法。
【請求項１１】
以下、すなわち、プローブ要求フレーム、プローブ応答フレーム、関連付け要求フレーム、関連付け応答フレーム、およびアクション肯定応答フレームのうちの１つ中に前記メッセージを埋め込むことをさらに備える、請求項８に記載の方法。
【請求項１２】
前記メッセージは、前記ワイヤレスノードが前記アクセスポイント動作を有効にするかまたは前記アクセスポイント動作を無効にする時間を示すフィールドを備える、請求項８に記載の方法。
【請求項１３】
前記メッセージは、前記ワイヤレスノードが前記アクセスポイント動作を提供する他のワイヤレスノードの数を示すフィールドを備える、請求項８に記載の方法。
【請求項１４】
前記ワイヤレスノードの前記アクセスポイント動作を無効にすることを告知するか、または前記ワイヤレスノードの前記アクセスポイント動作を有効にするためのパーミッションを要求する、前記ワイヤレスノードからのメッセージを処理することをさらに備える、請求項８に記載の方法。
【請求項１５】
リレー動作を変更するための装置であって、前記装置が、
前記装置のアクセスポイント動作を有効にするためのパーミッションを要求するか、または前記装置の前記アクセスポイント動作を無効にすることを告知するメッセージを生成するように構成された処理システム
を備える装置。
【請求項１６】
前記処理システムが、前記装置の前記アクセスポイント動作を有効にするための前記パーミッションを許可または拒否する応答メッセージを受信するようにさらに構成された、請求項１５に記載の装置。
【請求項１７】
前記メッセージがリレーアクティブ化情報要素を備え、ここにおいて、前記処理システムが、前記要求または前記告知を示すように前記リレーアクティブ化情報要素中の少なくとも１ビットを設定するようにさらに構成された、請求項１５に記載の装置。
【請求項１８】
前記処理システムが、以下、すなわち、プローブ要求フレーム、プローブ応答フレーム、関連付け要求フレーム、関連付け応答フレーム、およびアクション肯定応答フレームのうちの１つ中に前記メッセージを埋め込むように構成された、請求項１５に記載の装置。
【請求項１９】
前記メッセージが、前記装置の前記アクセスポイント動作を無効にするかまたは前記装置の前記アクセスポイント動作を有効にする時間を示すフィールドを備え、ここにおいて、前記処理システムが、前記時間を示すように前記フィールドの値を設定するようにさらに構成された、請求項１５に記載の装置。
【請求項２０】
前記メッセージは、前記装置が前記アクセスポイント動作を提供するワイヤレスノードの数を示すフィールドを備え、ここにおいて、前記処理システムが、ワイヤレスノードの前記数を示すように前記フィールドの値を設定するようにさらに構成された、請求項１５に記載の装置。
【請求項２１】
前記処理システムは、前記装置の前記アクセスポイント動作が無効にされる場合、前記装置が前記アクセスポイント動作を提供する少なくとも１つのワイヤレスノードとの関連付けを解除するための少なくとも１つの関連付け解除メッセージを生成するようにさらに構成された、請求項１５に記載の装置。
【請求項２２】
リレー動作を変更するための方法であって、前記方法が、
アクセスポイント動作を有効にするためのパーミッションを要求するか、または前記アクセスポイント動作を無効にすることを告知するメッセージを生成することと、
送信のために前記メッセージを与えることと
を備える方法。
【請求項２３】
前記アクセスポイント動作を有効にするための前記パーミッションを許可または拒否する応答メッセージを受信することをさらに備える、請求項２２に記載の方法。
【請求項２４】
前記メッセージが、前記要求または前記告知を示すための少なくとも１ビットを備えるリレーアクティブ化情報要素を備える、請求項２２に記載の方法。
【請求項２５】
以下、すなわち、プローブ要求フレーム、プローブ応答フレーム、関連付け要求フレーム、関連付け応答フレーム、およびアクション肯定応答フレームのうちの１つ中に前記メッセージを埋め込むことをさらに備える、請求項２２に記載の方法。
【請求項２６】
前記メッセージが、前記アクセスポイント動作を無効にするかまたは前記アクセスポイント動作を有効にする時間を示すフィールドを備える、請求項２２に記載の方法。
【請求項２７】
前記メッセージが、前記アクセスポイント動作に現在関連付けられているワイヤレスノードの数を示すフィールドを備える、請求項２２に記載の方法。
【請求項２８】
前記アクセスポイント動作が無効にされる場合、前記アクセスポイント動作に関連付けられた少なくとも１つのワイヤレスノードとの関連付けを解除するための少なくとも１つの関連付け解除メッセージを生成することをさらに備える、請求項２２に記載の方法。
【発明の詳細な説明】
【技術分野】
【０００１】
[0001]本出願は、一般にワイヤレス通信に関し、より詳細には、ワイヤレスデバイスのリレー動作を変更するためのシステム、方法、およびデバイスに関する。
【背景技術】
【０００２】
[0002]多くの電気通信システムでは、互いに直接通信することが可能でないことがあるいくつかの対話する空間的に分離されたデバイスの間でメッセージを交換するために、リレーデバイスが使用される。従来、特定のネットワークに加入するリレーデバイスは、ネットワークとの関連付けの持続時間の間、リレーデバイスのままでなければならない。同様に、ネットワークに加入し、リレーデバイスとして動作しないワイヤレスデバイスは、ネットワークとの関連付けの持続時間の間、ワイヤレスデバイスとしての動作を維持し、リレーデバイスとして動作しないことを維持しなければならない。したがって、ネットワークは、たとえば、特定のリレーデバイスのリレー動作がネットワークにおいてもはや必要とされないかまたは望まれない場合、レイテンシおよび媒体使用に関してある程度の通信効率を失い得る。
【発明の概要】
【０００３】
[0003]添付の特許請求の範囲内のシステム、方法およびデバイスの様々な態様は、それぞれいくつかの態様を有し、それらのうちの単一の態様が、単独で、本明細書で説明する望ましい属性を担当するとは限らない。添付の特許請求の範囲を限定することなしに、いくつかの顕著な特徴について本明細書で説明する。この説明を考察すれば、特に「発明を実施するための形態」と題するセクションを読めば、様々な態様の特徴が媒体アクセスパラメータの調整をどのように可能にするかが理解されよう。
【０００４】
[0004]本開示の一態様は、ワイヤレスノードのリレー動作を変更するための装置を提供する。本装置は、ワイヤレスノードにワイヤレスノードのアクセスポイント動作を有効にするように要求するか、またはワイヤレスノードにワイヤレスノードのアクセスポイント動作を無効にするように命令するメッセージを生成するように構成された処理システムを備える。
【０００５】
[0005]本開示の別の態様は、ワイヤレスノードのリレー動作を変更するための方法を提供する。本方法は、ワイヤレスノードにワイヤレスノードのアクセスポイント動作を有効にするように要求するか、またはワイヤレスノードにワイヤレスノードのアクセスポイント動作を無効にするように命令するメッセージを生成することを備える。本方法は、ワイヤレスノードへの送信のためにメッセージを与えることを備える。
【０００６】
[0006]本開示の別の態様は、リレー動作を変更するための装置を提供する。本装置は、本装置のアクセスポイント動作を有効にするためのパーミッションを要求するか、または本装置のアクセスポイント動作を無効にすることを告知するメッセージを生成するように構成された処理システムを備える。
【０００７】
[0007]本開示の別の態様は、リレー動作を変更するための方法を提供する。本方法は、アクセスポイント動作を有効にするためのパーミッションを要求するか、またはアクセスポイント動作を無効にすることを告知するメッセージを生成することを備える。本方法は、送信のためにメッセージを与えることを備える。
【図面の簡単な説明】
【０００８】
【図１】[0008]本開示の態様が採用され得るワイヤレス通信システムの一例を示す図。
【図２】[0009]図１のワイヤレス通信システム内で採用され得るワイヤレスデバイスの一例を示す図。
【図３】[0010]一態様による、ワイヤレスデバイスのリレー動作を変更するためのメッセージを示す図。
【図４】[0011]別の態様による、ワイヤレスデバイスのリレー動作を変更するためのメッセージを示す図。
【図５】[0012]一態様による、ワイヤレスノードのリレー動作を変更するための方法のフローチャート。
【図６】[0013]一態様による、ワイヤレスデバイスのいくつかの例示的な態様の簡略ブロック図。
【図７】[0014]別の態様による、リレー動作を変更するための方法のフローチャート。
【図８】[0015]別の態様による、ワイヤレスデバイスのいくつかの例示的な態様の簡略ブロック図。
【発明を実施するための形態】
【０００９】
[0016]添付の図面を参照しながら新規のシステム、装置、および方法の様々な態様について以下でより十分に説明する。ただし、本開示教示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように与えるものである。本明細書の教示に基づいて、本開示の範囲は、本発明の他の態様とは無関係に実装されるにせよ、本発明の他の態様と組み合わされるにせよ、本明細書で開示する新規のシステム、装置、および方法のいかなる態様をもカバーするものであることを、当業者なら諒解されたい。たとえば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーするものとする。本明細書で開示するどの態様も請求項の１つまたは複数の要素によって実施され得ることを理解されたい。
【００１０】
[0017]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１１】
[0018]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなど、任意の通信規格に適用され得る。たとえば、本明細書で説明する様々な態様は、サブ１ＧＨｚ帯域を使用する、ＩＥＥＥ８０２．１１ａｈプロトコルの一部として使用され得る。
【００１２】
[0019]いくつかの態様では、サブギガヘルツ帯域中のワイヤレス信号は、直交周波数分割多重（ＯＦＤＭ）、直接シーケンススペクトル拡散（ＤＳＳＳ：direct-sequence spread spectrum）通信、ＯＦＤＭとＤＳＳＳ通信との組合せ、または他の方式を使用して、８０２．１１ａｈプロトコルに従って送信され得る。８０２．１１ａｈプロトコルの実装形態は、センサー、メータリング、およびスマートグリッドネットワークのために使用され得る。有利には、８０２．１１ａｈプロトコルを実装するいくつかのデバイスの態様は、他のワイヤレスプロトコルを実装するデバイスよりも少ない電力を消費し得、および／または比較的長い距離、たとえば約１キロメートル以上にわたってワイヤレス信号を送信するために使用され得る。
【００１３】
[0020]いくつかの態様では、ＷＬＡＮは、ワイヤレスネットワークにアクセスする構成要素である様々なデバイスを含む。たとえば、３つのタイプのデバイス、すなわち、アクセスポイント（「ＡＰ」）、リレー、および（局または「ＳＴＡ」とも呼ばれる）クライアントがあり得る。概して、ＡＰは、ＷＬＡＮのためのハブまたは基地局として働き、リレーデバイスは、ＷＬＡＮのためのＡＰと、ＷＬＡＮのユーザとして働く１つまたは複数のＳＴＡとの間の通信リンクを与える。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するために、ＷｉＦｉ（たとえば、８０２．１１ａｈなどのＩＥＥＥ８０２．１１プロトコル）準拠ワイヤレスリンクを介してリレーデバイスを通してＡＰに接続する。いくつかの態様では、ＳＴＡはリレーデバイスとしても使用され得る。
【００１４】
[0021]アクセスポイント（「ＡＰ」）はまた、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００１５】
[0022]また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの態様では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００１６】
[0023]ワイヤレスノードは、アクセス端末（「ＡＴ」）またはＳＴＡ、ＡＰ、あるいはＳＴＡ動作またはＡＰ動作のうちの少なくとも１つを有するリレー対応ワイヤレスデバイスを備え得、すなわち、ワイヤレスノードは、ＡＴ動作またはＳＴＡ動作、ＡＰ動作、あるいはＡＴ／ＳＴＡ動作とＡＰ動作の両方を有し得る。
【００１７】
[0024]上記で説明したように、本明細書で説明するデバイスのいくつかは、たとえば、８０２．１１ａｈ規格を実装し得る。そのようなデバイスは、ＳＴＡとして使用されるのか、リレーデバイスとして使用されるのか、ＡＰとして使用されるのか、他のデバイスとして使用されるのかにかかわらず、スマートメータリングのために、またはスマートグリッドネットワークにおいて使用され得る。そのようなデバイスは、センサーアプリケーションを与えるか、またはホームオートメーションにおいて使用され得る。デバイスは、代わりにまたは追加として、たとえばパーソナルヘルスケアのためにヘルスケアコンテキストにおいて使用され得る。それらのデバイスはまた、（たとえば、ホットスポットとともに使用する）拡張された範囲のインターネット接続性を可能にするために、またはマシンツーマシン通信を実装するために、監視のために使用され得る。
【００１８】
[0025]図１に、本開示の態様が採用され得るワイヤレス通信システム１００の一例を示す。ワイヤレス通信システム１００は、ワイヤレス規格、たとえば８０２．１１ａｈ規格に従って動作し得る。ワイヤレス通信システム１００は、ワイヤレス通信システム１００のための「ルートノード」または基地局として動作し得る、ＡＰ１０４を含み得る。ＡＰ１０４は、直接または１つまたは複数のリレーデバイスを通して、１つまたは複数のＳＴＡと通信し得る。たとえば、ＡＰ１０４は、リレーデバイス１０５ａおよび１０５ｂの各々と直接通信し得る。リレーデバイス１０５ａは、ＳＴＡ１０６ａならびにリレーデバイス１０５ｃと直接通信し得る。リレーデバイス１０５ｃは、ＳＴＡ１０６ｂ、１０６ｃおよび１０６ｄの各々と直接通信し得る。同様に、リレーデバイス１０５ｂは、ＳＴＡ１０６ｅと直接通信し得る。リレーデバイス１０５ａ〜１０５ｃがワイヤレスリレーとして機能している場合、リレーデバイス１０５ａ〜１０５ｃの各々は、ワイヤレスリレーＳＴＡとワイヤレスリレーＡＰとを備えると考えられ得る。リレーデバイス１０５ａ〜１０５ｃのいずれかがそれらのワイヤレスリレー機能を有効または無効にするとき、リレーデバイス１０５ａ〜１０５ｃは、それぞれ、それらのアクセスポイント動作を有効または無効にし得る。図１はリレーデバイスおよびＳＴＡの特定の構成を示すが、この特定の構成は例にすぎず、図示された特定の構成に本出願の概念を限定するものと解釈されるべきではない。
【００１９】
[0026]様々なプロセスおよび方法が、ＡＰ１０４と、リレーデバイス１０５ａ〜１０５ｃと、ＳＴＡ１０６ａ〜１０６ｅとの間のワイヤレス通信システム１００における送信のために使用され得る。たとえば、信号は、ＯＦＤＭ／ＯＦＤＭＡ技法に従って、ＡＰ１０４と、リレーデバイス１０５ａ〜１０５ｃと、ＳＴＡ１０６ａ〜１０６ｅとの間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４と、リレーデバイス１０５ａ〜１０５ｃと、ＳＴＡ１０６ａ〜１０６ｅとの間で送信および受信され得る。この場合、ワイヤレス通信システム１００はＣＤＭＡシステムと呼ばれることがある。
【００２０】
[0027]ＡＰ１０４からリレーデバイス１０５ａおよび１０５ｂの一方または両方への送信、リレーデバイス１０５ａからＳＴＡ１０６ａまたはリレーデバイス１０５ｃのいずれかへの送信、リレーデバイス１０５ｂからＳＴＡ１０６ｅへの送信、あるいはリレーデバイス１０５ｃからＳＴＡ１０６ｂ〜１０６ｄのいずれかへの送信を可能にする通信リンクは、ダウンリンクと呼ばれることがある。反対に、上述の送信のいずれかから反対方向への送信を可能にする通信リンクは、アップリンクと呼ばれることがある。代替的に、ダウンリンクは順方向リンクまたは順方向チャネルと呼ばれることがあり、アップリンクは逆方向リンクまたは逆方向チャネルと呼ばれることがある。同様に、別のデバイスとのアップリンク接続を有するデバイスは、そのデバイスから下流と見なされ得る。同様に、別のデバイスとのダウンリンク接続を有するデバイスは、そのデバイスから上流と見なされ得る。
【００２１】
[0028]ＳＴＡ１０６ａ〜１０６ｅは、タイプが限定されず、様々な異なるＳＴＡを含み得る。限定ではなく例として、ＳＴＡ１０６ａ〜１０６ｅは、セルラーフォン、テレビジョン、ラップトップ、およびいくつかのセンサー、たとえば、ワイヤレスプロトコルを使用して通信することが可能な気象センサーまたは他のセンサーを含み得る。
【００２２】
[0029]図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、たとえば、ＡＰ１０４、リレーデバイス１０５ａ〜１０５ｃのうちの１つ、またはＳＴＡ１０６ａ〜１０６ｅのうちの１つを備え得る。
【００２３】
[0030]ワイヤレスデバイス２０２は、ワイヤレスデバイス２０２の動作を制御するプロセッサ２０４を含み得る。プロセッサ２０４は、中央処理ユニット（ＣＰＵ）、ハードウェアプロセッサ、または処理システムと呼ばれることもある。読取り専用メモリ（ＲＯＭ）とランダムアクセスメモリ（ＲＡＭ）の両方を含み得るメモリ２０６は、命令とデータとをプロセッサ２０４に与える。メモリ２０６の一部分は不揮発性ランダムアクセスメモリ（ＮＶＲＡＭ）をも含み得る。プロセッサ２０４は、一般に、メモリ２０６内に記憶されたプログラム命令に基づいて論理演算および算術演算を実行する。メモリ２０６中の命令は、本明細書で説明する方法を実装するために実行可能であり得る。
【００２４】
[0031]プロセッサ２０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。いくつかの実装形態では、メッセージを生成または処理するための、および／あるいはメッセージの特定のフィールドのビットまたは値を設定するための手段が、以下でさらに説明し得るように、少なくともプロセッサ２０４を備え得る。
【００２５】
[0032]処理システムは、実行されたとき、リレー適合ワイヤレスデバイスのリレー動作を変更するための１つまたは複数の方法に関連する１つまたは複数のステップを実行することを装置に行わせる命令がその上に符号化されたコンピュータ可読媒体を備える通信のためのコンピュータプログラム製品をも含み得る。命令は、ソースコード形式、バイナリコード形式、実行可能コード形式、または他の好適なコード形式を含み得る。コードまたは命令は、１つまたは複数のプロセッサによって実行されたとき、本明細書で説明する様々な機能を実行することを処理システムに行わせる。
【００２６】
[0033]ワイヤレスデバイス２０２は、ワイヤレスデバイス２０２と遠隔ロケーションとの間のデータの送信および受信を可能にするための送信機２１０および受信機２１２をも含み得る。さらに、送信機２１０および受信機２１２は、ワイヤレスデバイス２０２と、たとえば、ＡＰ、リレーデバイス、またはＳＴＡを含む遠隔ロケーションとの間のセットアップおよび／または構成パケットまたはフレームの送信および受信を可能にするように構成され得る。いくつかの実装形態では、状態に従ってまたはそれらに基づいて、あるいは結果を達成するためにメッセージを送信するための手段が、以下でさらに詳細に説明し得るように、送信機２１０を備え得る。同様に、状態に従ってまたはそれらに基づいて、あるいは結果を達成するためにメッセージを受信するための手段が、以下でさらに詳細に説明し得るように、受信機２１２を備え得る。送信機２１０と受信機２１２とは組み合わせられてトランシーバ２１４になり得る。アンテナ２１６は、ハウジング２０８に取り付けられ、トランシーバ２１４に電気的に結合され得る。代替または追加として、ワイヤレスデバイス２０２は、ハウジング２０８の一部として形成されたアンテナ２１６を含み得るか、または内部アンテナであり得る。ワイヤレスデバイス２０２は、複数の送信機、複数の受信機、複数のトランシーバ、および／または複数のアンテナをも含み得る（図示せず）。
【００２７】
[0034]ワイヤレスデバイス２０２はまた、トランシーバ２１４によって受信された信号のレベルを検出し、定量化するために使用され得る信号検出器２１８を含み得る。信号検出器２１８は、総エネルギー、シンボルごとのサブキャリア当たりのエネルギー、電力スペクトル密度および他の信号などの信号を検出し得る。ワイヤレスデバイス２０２は、信号を処理する際に使用するデジタル信号プロセッサ（ＤＳＰ）２２０をも含み得る。ＤＳＰ２２０は、送信のためのデータユニットを生成するために構成され得る。いくつかの態様では、データユニットは物理レイヤデータユニット（ＰＰＤＵ：physical layer data unit）を備え得る。いくつかの態様では、ＰＰＤＵはパケットまたはフレームと呼ばれる。
【００２８】
[0035]ワイヤレスデバイス２０２は、いくつかの態様では、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を伝達し、および／またはユーザからの入力を受信する、任意の要素または構成要素を含み得る。
【００２９】
[0036]ワイヤレスデバイス２０２の様々な構成要素はハウジング２０８内に格納され得る。さらに、ワイヤレスデバイス２０２の様々な構成要素はバスシステム２２６によって互いに結合され得る。バスシステム２２６は、たとえば、データバス、ならびに、データバスに加えて、電力バスと、制御信号バスと、ステータス信号バスとを含み得る。ワイヤレスデバイス２０２の構成要素は、何らかの他の機構を使用して、互いに結合されるか、または互いに入力を受け付け、または与え得ることを当業者は諒解されよう。
【００３０】
[0037]図２には、いくつかの別個の構成要素が示されているが、構成要素のうちの１つまたは複数が組み合わされ得るかまたは共通に実装され得ることを当業者は認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示す構成要素の各々は、複数の別個の要素を使用して実装され得る。
【００３１】
[0038]以下で説明する態様では、ダウンストリームリレー対応ワイヤレスデバイスのアクセスポイント動作を選択的に有効または無効にするために、リレーアクティブ化情報要素（ＩＥ）が、リレーアクティブ化フレーム中に埋め込まれ得、ＡＰなど、アップストリームワイヤレスノードによって利用され得る。たとえば、図１に示されているように、そのようなリレーアクティブ化ＩＥは、リレーデバイス１０５ｂにそれのアクセスポイント動作を無効にするように命令するために、ＡＰ１０４によってリレーデバイス１０５ｂに送られ得る。リレーデバイス１０５ｂが、それのアクセスポイント動作を無効にするようにとの命令の前にＳＴＡ１０６ｅなど、ダウンストリームデバイスへの／からのリレー機能を与えている場合、リレーデバイス１０５ｂは、リレーデバイスとしてのＳＴＡ１０６ｅとの関連付けを解除するための少なくとも１つの関連付け解除メッセージをさらに生成し得る。リレーデバイス１０５ｂが、たとえば、それのワイヤレスリレーＡＰを無効にするように以前に命令されており、非リレーワイヤレスＳＴＡとして現在動作している場合、リレーデバイス１０５ｂがそれのアクセスポイント動作を有効にすることを要求するリレーアクティブ化ＩＥが、ＡＰ１０４によってリレーデバイス１０５ｂに送られ得る。アップストリームデバイスからのそのような要求について、リレーデバイス１０５ｂは、要求を順守すべきか否かに関するそれ自体の決定を行い得る。そのような場合、リレーデバイス１０５ｂは、たとえば、それのアクセスポイント動作を有効にするようにとの要求に肯定応答する応答を送り、次いで、アクセスポイント動作を有効にし得る。代替として、リレーデバイス１０５ｂは、応答を送らず、それのアクセスポイント動作を有効にしないことがある。また別の態様では、以下でより詳細に説明するように、リレーデバイス１０５ｂは、リレーデバイス１０５ｂがそれのアクセスポイント動作をその間有効にする時間をネゴシエートし得る。また別の態様では、ＡＰ１０４は、リレーデバイス１０５ｂにそれのアクセスポイント動作を有効にするように命令または強制し得る。そのような態様では、リレーデバイス１０５ｂは、それのワイヤレスアクセスポイント動作を有効にするようにとの命令に肯定応答する応答を送り、次いで、アクセスポイント動作を有効にし得る。代替として、リレーデバイス１０５ｂは、肯定応答を送らないことがあり、可能な場合はアクセスポイント動作を有効にするか、またはリレーデバイス１０５ｂがそれのアクセスポイント動作を有効にすることができない場合は関連付けを解除し得る。これらの同じオプションは、たとえば、リレーデバイス１０５ｂのアクセスポイント動作を無効にするとき、利用可能であり得る。
【００３２】
[0039]別の態様では、リレーアクティブ化ＩＥは、リレーデバイス自体のリレー動作機能の変更を要求または告知するために、リレーデバイス自体によって利用され得る。たとえば、図１に示されているように、たとえば、リレーデバイス１０５ｂがそれのアクセスポイント動作を無効にすることを上流のＡＰ１０４に告知する、そのようなリレーアクティブ化ＩＥ（ＩＥ）が、リレーデバイス１０５ｂによって送られ得る。代替的に、リレーデバイス１０５ｂが、たとえば、それのアクセスポイント動作を以前に無効にしており、非リレーワイヤレスＳＴＡとして現在動作している場合、リレーデバイス１０５ｂは、リレーデバイス１０５ｂのアクセスポイント動作を有効にするためのパーミッションを要求するリレーアクティブ化ＩＥをＡＰ１０４に送り得る。ダウンストリームリレーデバイスからのそのような要求について、ＡＰ１０４は、リレーデバイス１０５ｂからの要求を許可または拒否する決定を行い得る。そのような場合、アクセスポイント１０４は、たとえば、リレーデバイス１０５ｂのアクセスポイント動作を有効にするようにとの要求に肯定応答する応答を送り得る。リレーデバイス１０５ｂは、次いで、アクセスポイント動作を有効にし得る。代替として、アクセスポイント１０４は応答を送らないことがあり、リレーデバイス１０５ｂはそれのアクセスポイント動作を有効にし得る。また別の態様では、以下でより詳細に説明するように、アクセスポイント１０４は、リレーデバイス１０５ｂがそれのアクセスポイント動作をその間有効にする時間をネゴシエートし得る。また別の態様では、リレーデバイス１０５ｂは、それのアクセスポイント動作の有効化を命令または強制し得る。そのような態様では、アクセスポイント１０４は、リレーデバイス１０５ｂがそれのワイヤレスアクセスポイント動作を有効にするようにとの命令に肯定応答する応答を送り得、次いで、リレーデバイス１０５ｂは、それのアクセスポイント動作を有効にし得る。代替として、アクセスポイント１０４は、肯定応答応答を送らないことがあり、リレーデバイス１０５ｂは、可能な場合はそれのアクセスポイント動作を有効にするか、またはリレーデバイス１０５ｂがそれのアクセスポイント動作を有効にすることができない場合は関連付けを解除し得る。これらの同じオプションは、たとえば、リレーデバイス１０５ｂのアクセスポイント動作を無効にするとき、利用可能であり得る。
【００３３】
[0040]図３に、一態様による、ワイヤレスデバイスのリレー動作を変更するためのメッセージを示す。詳細には、図３は、ワイヤレスデバイスのリレー動作を変更するためのリレーアクティブ化情報要素（ＩＥ）３００を示す。リレーアクティブ化ＩＥは、図３に示されているよりも多くの構成要素を有し得ることを、当業者は諒解されよう。図示のように、リレーアクティブ化ＩＥ３００は、特許請求の範囲内に入るいくつかの顕著な特徴または態様について説明するのに有用な構成要素のみを含み、図示しない１つまたは複数の追加のフィールドを含み得る。リレーアクティブ化ＩＥ３００は、たとえば長さが１バイトであり得、ＩＥがリレーアクティブ化ＩＥであることを示す値を含み得る、要素ＩＤフィールド３０２を含む。リレーアクティブ化ＩＥ３００は、たとえば長さが同じく１バイトであり得、リレーアクティブ化ＩＥ３００の全長をバイト単位で示す整数値を含み得る、長さフィールド３０４をさらに含む。リレーアクティブ化ＩＥ３００は、たとえば長さが同じく１バイトであり得、ＩＥの可変長到達可能アドレスフィールド（図示せず）中に含まれ得る到達可能アドレスの数を示す整数値を含み得る、アドレスカウントフィールド３０６をさらに含み得る。リレーアクティブ化ＩＥ３００は、たとえば１ビット長であり得、リレーアクティブ化ＩＥ３００が要求ＩＥであるのか応答ＩＥであるのかを示し得る、要求／応答指示フィールド３０８をさらに含み得る。たとえば、ワイヤレスデバイスによって、それ自体または別のダウンストリームワイヤレスデバイスのいずれかのリレー動作機能の変更を要求または命令するリレーアクティブ化ＩＥ３００が送られるとき、要求／応答指示フィールドは、たとえば「１」に設定され、ＩＥが要求であることを示し得る。代替的に、リレー動作を変更するようにとの要求の容認または拒否のいずれかを示すためのリレーアクティブ化ＩＥ３００が要求元ワイヤレスデバイスに送られるとき、要求／応答指示フィールド３０８は「０」に設定され得る。
【００３４】
[0041]リレーアクティブ化ＩＥ３００は、たとえば１ビット長であり得、リレーアクティブ化ＩＥ３００が、ターゲットワイヤレスデバイスにそれのアクセスポイント動作をアクティブにするように要求（または命令）しているのか非アクティブにするように要求（または命令）しているのかを示し得る、リレー動作アクティブ化／非アクティブ化フィールド３１０をさらに含み得る。たとえば、リレーアクティブ化ＩＥ３００がリレー動作のアクティブ化を示す場合、リレー動作アクティブ化／非アクティブ化フィールド３１０はたとえば「１」に設定され得、リレー動作の非アクティブ化のための指示の場合、フィールド３１０は「０」に設定され得る。リレーアクティブ化ＩＥ３００が応答であり、「０」に設定された要求／応答指示フィールド３０８を有する場合、要求された非アクティブ化を許可または拒否する指示が、リレー動作アクティブ化／非アクティブ化フィールド３１０中に作成され得る。たとえば、要求が許可または順守される場合、応答リレーアクティブ化ＩＥ３００中のリレー動作アクティブ化／非アクティブ化フィールド３１０は、要求リレーアクティブ化ＩＥ３００中のリレー動作アクティブ化／非アクティブ化フィールド３１０が設定された値と同じ値に設定され得る。要求が拒否されるかまたは順守されない場合、応答リレーアクティブ化ＩＥ３００中のリレー動作アクティブ化／非アクティブ化フィールド３１０は、要求リレーアクティブ化ＩＥ３００中のリレー動作アクティブ化／非アクティブ化フィールド３１０が設定された値と反対の値に設定され得る。
【００３５】
[0042]リレーアクティブ化ＩＥ３００は、１ビット長であり得、リレーデバイスがリレーとしていずれかの局を現在サービスしているか否かを示し得る、局現在サービス中指示フィールド（currently serving stations indication field）３１２をさらに含み得る。たとえば、リレーアクティブ化ＩＥ３００が、リレーとして少なくとも１つのワイヤレス局を現在サービスしているリレーデバイスによって生成される場合、局現在サービス中指示フィールド３１２は「１」に設定され得る。反対に、リレーアクティブ化ＩＥ３００が、アップストリームＡＰによって生成されたか、またはリレーとしてワイヤレス局を現在サービスしていないリレーデバイスによって生成されたかのいずれかの場合、局現在サービス中指示フィールド３１２は「０」に設定され得る。
【００３６】
[0043]局現在サービス中指示フィールド３１２が「１」に設定される場合、リレーアクティブ化ＩＥ３００は、たとえば長さが３ビットであり得、リレーデバイスがリレー容量において現在サービスしている局の数を示し得る、局カウントフィールド３１６をさらに含み得る。局カウントフィールド３１６は長さが３ビットであるので、それは０から７までの任意の値を含み得、ただし、７の指示は、いくつかの態様では、７つまたはそれよりも多いワイヤレス局が現在サービスされていることを示すと解釈され得る。局現在サービス中指示フィールド３１２が「０」に設定される場合、リレーアクティブ化ＩＥ３００は局カウントフィールド３１６を含まないことがある。
【００３７】
[0044]リレーアクティブ化ＩＥ３００は、長さが１ビットであり得、リレーアクティブ化ＩＥ３００が、以下で説明するように、リレー動作変更が行われるように要求または命令される将来の時間を示し得る部分時間同期機能（ＴＳＦ：time synchronization function）フィールド３１８をさらに含むかどうかを示し得る、示唆時間指示フィールド３１４をさらに含み得る。したがって、リレー動作への要求または命令された変更がある将来の時間において行われるべきである場合、示唆時間指示フィールド３１４は「１」に設定され得る。反対に、リレー動作への要求または命令された変更が、リアルタイムで行われるべきであるか、またはすでに行われた場合、示唆時間指示フィールド３１４は「０」に設定され得る。
【００３８】
[0045]示唆時間指示フィールド３１４が「１」に設定されるとき、リレーアクティブ化ＩＥ３００は、たとえば長さが２バイトであり得、リレー動作変更が行われるように要求または命令される将来における時間を示し得る、部分ＴＳＦフィールド３１８をさらに含み得る。上記で説明したリレー動作アクティブ化／非アクティブ化フィールド３１０の動作と同様に、要求元リレーアクティブ化ＩＥ３００の部分ＴＳＦフィールド３１８において指定された時間における要求された変更を許可または拒否する指示が、応答リレーアクティブ化ＩＥ３００の部分ＴＳＦフィールド３１８中に作成され得る。たとえば、将来における時間においてリレー動作を変更するようにとの要求が許可または順守される場合、応答リレーアクティブ化ＩＥ３００中の部分ＴＳＦフィールド３１８は、要求リレーアクティブ化ＩＥ３００中の部分ＴＳＦフィールド３１８が設定された値と同じ値に設定され得る。したがって、指定された時間におけるリレー動作への変更を要求するデバイスは、要求元リレーアクティブ化ＩＥ３００中に設定された部分ＴＳＦフィールド３１８の値の比較が、応答リレーアクティブ化ＩＥ３００中に設定された部分ＴＳＦフィールド３１８の値に一致するとき、その時間の要求が許可されたと決定し得る。指定された時間においてリレー動作を変更するようにとの要求が拒否されるかまたは順守されない場合、応答リレーアクティブ化ＩＥ３００中の部分ＴＳＦフィールド３１８を代替時間値に設定することによって、代替時間が応答側デバイスによって示され得る。このようにして、リレーデバイスのリレー動作の変更のための将来における時間が、あるリレーモードでのネットワークとの関連付けを解除し、次いで、別のリレーモードでネットワークに再び関連付けることの必要なしに、ネゴシエートされ得る。示唆時間指示フィールド３１４が「０」に設定される場合、リレーアクティブ化ＩＥ３００は部分ＴＳＦフィールド３１８を含まないことがある。
【００３９】
[0046]図４に、別の態様による、ワイヤレスデバイスのリレー動作を変更するためのメッセージを示す。詳細には、図４は、ワイヤレスデバイスのリレー動作を変更するためのリレーアクティブ化情報要素（ＩＥ）４００の別の態様を示す。リレーアクティブ化ＩＥは、図４に示されているよりも多くの構成要素を有し得ることを、当業者は諒解されよう。図示のように、リレーアクティブ化ＩＥ４００は、特許請求の範囲内に入るいくつかの顕著な特徴または態様について説明するのに有用な構成要素のみを含み、図示しない１つまたは複数の追加のフィールドを含み得る。リレーアクティブ化ＩＥ４００は、要素ＩＤフィールド４０２と、長さフィールド４０４と、アドレスカウントフィールド４０６と、要求／応答指示フィールド４０８とを含み、各々は、それぞれ、図３の要素ＩＤフィールド３０２、長さフィールド３０４、アドレスカウントフィールド３０６、および要求／応答指示フィールド３０８に関して前に説明した特性および機能を有する。
【００４０】
[0047]リレーアクティブ化ＩＥ４００は、たとえば１ビット長であり得、リレーアクティブ化ＩＥ４００が、ターゲットワイヤレスデバイスにそれのアクセスポイント動作をアクティブにするように要求（または命令）しているのか非アクティブにするように要求（または命令）しているのかを示し得る、リレー動作アクティブ化／非アクティブ化フィールド４１０をさらに含み得る。たとえば、リレーアクティブ化ＩＥ４００がリレー動作のアクティブ化を示す場合、リレー動作アクティブ化／非アクティブ化フィールド４１０はたとえば「１」に設定され得、リレー動作の非アクティブ化のための指示の場合、フィールド４１０は「０」に設定され得る。リレー動作アクティブ化／非アクティブ化フィールド３１０の前に説明した機能とは対照的に、要求された変更を許可または拒否する指示は、リレー動作アクティブ化／非アクティブ化フィールド４１０中にではなく、以下で説明する応答指示フィールド４１２中に作成され得る。
【００４１】
[0048]リレーアクティブ化ＩＥ４００は、たとえば長さが２ビットであり得、要求元リレーアクティブ化ＩＥ４００に対する応答のステータスを示し得る、応答指示フィールド４１２をさらに含み得る。たとえば、要求が許可または順守される場合、応答リレーアクティブ化ＩＥ４００中の応答指示フィールド４１２は、ターゲットリレー対応デバイスのリレー動作を変更するようにとの要求の容認を示す値に設定され得る。反対に、要求が拒否されるかまたは順守されない場合、応答リレーアクティブ化ＩＥ４００中の応答指示フィールド４１２は、ターゲットリレー対応デバイスのリレー動作を変更するようにとの要求の拒絶を示す値に設定され得る。応答側ワイヤレスデバイスが、要求元デバイスによって提案された時間において変更するようにとの要求を拒絶するのではなく、変更が行われる新しい時間を提案する場合、応答指示フィールド４１２は、要求された変更のための新しい時間が提案されることを示す値に設定され得る。
【００４２】
[0049]リレーアクティブ化ＩＥ４００がリレー対応デバイスによって生成される場合、リレーアクティブ化ＩＥ４００は、たとえば長さが３ビットであり得、リレーデバイスがリレー容量において現在サービスしている局の数を示し得る、局カウントフィールド４１６をさらに含み得る。図３に関して前に説明した局カウントフィールド３１６と同様に、局カウントフィールド４１６は長さが３ビットであるので、それは０から７までの任意の値を示し得、ただし、７の指示は、いくつかの態様では、７つまたはそれよりも多いワイヤレス局が現在サービスされていることを示すと解釈され得る。リレーアクティブ化ＩＥ４００がリレーデバイスによって生成されない場合、リレーアクティブ化ＩＥ４００は局カウントフィールド４１６を含まないことがある。
【００４３】
[0050]リレーアクティブ化ＩＥ４００は、たとえば長さが２バイトであり得、リレー動作変更が行われるように要求または命令される将来における時間を示し得る、部分ＴＳＦフィールド４１８をさらに含み得る。リレーアクティブ化ＩＥ４００が要求元リレーアクティブ化ＩＥである場合、部分ＴＳＦフィールド４１８は、リレー対応デバイスがそれのリレー動作可能性を変更する時間を示し得る。リレーアクティブ化ＩＥ４００が応答リレーアクティブ化ＩＥであり、応答指示フィールド４１２が、リレー対応デバイスのリレー動作可能性を変更するようにとの要求の容認または順守を示す場合、応答リレーアクティブ化ＩＥ４００中の部分ＴＳＦフィールド４１８は、要求リレーアクティブ化ＩＥ４００中の部分ＴＳＦフィールド４１８が設定された値と同じ値に設定され得る。代替態様では、応答指示フィールド４１２が、リレー対応デバイスのリレー動作可能性を変更するようにとの要求の容認または順守を示す場合、部分ＴＳＦフィールド４１８は、応答リレーアクティブ化ＩＥ４００中に存在しないことがある。リレーアクティブ化ＩＥ４００が応答リレーアクティブ化ＩＥであり、応答指示フィールド４１２が、拒絶ではなくリレー対応デバイスのリレー動作可能性を変更するための提案された新しい時間を示す場合、応答リレーアクティブ化ＩＥ４００中の部分ＴＳＦフィールド４１８は、新しい提案された時間に設定され得る。上記で説明した方法で、リレーデバイスのリレー動作の変更のための将来における指定された時間が、あるリレーモードでのネットワークとの関連付けを解除し、次いで、別のリレーモードでネットワークに再び関連付けることの必要なしに、ネゴシエートされ得る。
【００４４】
[0051]図５は、一態様による、ワイヤレスノードのリレー動作を変更するための方法のフローチャートである。方法５００は、ワイヤレスノードから上流にあるワイヤレス通信のための装置、たとえば、図２のワイヤレスデバイス２０２としてより詳細に示され得る図１のアクセスポイント（ＡＰ）１０４によって実行され得る。さらに、以下の方法の各ステップは、図３および図４に関して前に説明した１つまたは複数のステップおよび／または特徴に対応し得る。ブロック５０２において、本方法は、ワイヤレスノードにワイヤレスノードのアクセスポイント動作を有効にするように要求するか、またはワイヤレスノードにワイヤレスノードのアクセスポイント動作を無効にするように命令するメッセージを生成することを含む。たとえば、メッセージは、図３および図４に関して前に説明した要求リレーアクティブ化ＩＥ３００／４００を備え得る。ブロック５０２は、図２のプロセッサ２０４によって実行され得る。ブロック５０４において、本方法は、ワイヤレスノードへの送信のためにメッセージを与えることを含む。ブロック５０４は、図２のプロセッサ２０４によって実行され得る。
【００４５】
[0052]一態様では、本方法は、ワイヤレスノードにアクセスポイント動作を有効にするように要求するメッセージの順守または非順守を示す応答メッセージを受信することをさらに備え得る。たとえば、応答メッセージは、図３および図４に関して前に説明した応答リレーアクティブ化ＩＥ３００／４００を備え得る。応答メッセージは、たとえば、図２の受信機２１２を介してプロセッサ２０４において受信され得る。いくつかの態様では、本方法は、以下、すなわち、プローブ要求フレーム、プローブ応答フレーム、関連付け要求フレーム、関連付け応答フレーム、およびアクション肯定応答フレームのうちの１つ中にメッセージを埋め込むことをさらに含み得る。メッセージは、たとえば、図２のプロセッサ２０４によって埋め込まれ得る。いくつかの態様では、メッセージは、メッセージが、ワイヤレスノードにアクセスポイント動作を有効にするように要求しているのかワイヤレスノードにアクセスポイント動作を無効にするように命令しているのかを示すフィールドを備え得る。そのようなフィールドは、図３および図４に関して前に説明したリレー動作アクティブ化／非アクティブ化フィールド３１０／４１０に対応し得る。いくつかの態様では、メッセージは、ワイヤレスノードがアクセスポイント動作を有効にするかまたはアクセスポイント動作を無効にする時間を示すフィールドを備え得る。そのようなフィールドは、図３および図４に関して前に説明した部分ＴＳＦフィールド３１８／４１８に対応し得る。
【００４６】
[0053]図６は、一態様による、ワイヤレスデバイスのいくつかの例示的な態様の簡略ブロック図である。ワイヤレスデバイスは、図６に示されているよりも多くの構成要素を有し得ることを、当業者は諒解されよう。ワイヤレスデバイス６００は、特許請求の範囲内に入るいくつかの顕著な特徴または態様について説明するのに有用な構成要素のみを含む。一態様では、ワイヤレスデバイス６００は、図５において上記に示した方法５００を実行するように構成される。ワイヤレスデバイス６００は、リレー動作の変更が望まれるリレー対応ワイヤレスデバイスから上流に位置する任意の好適なワイヤレスデバイスであり得る。たとえば、ワイヤレスデバイス６００は、図２に示されたワイヤレスデバイス２０２としてより詳細に示され得る図１に示されたアクセスポイント１０４など、アクセスポイントを備え得る。
【００４７】
[0054]一態様では、ワイヤレスデバイス６００は、ワイヤレスノードにワイヤレスノードのアクセスポイント動作を有効にするように要求するか、またはワイヤレスノードにワイヤレスリレーアクセスポイント６０２を無効にするように命令するメッセージを生成するための手段を含む。いくつかの態様では、手段６０２は、リレーアクティブ化情報要素を生成することによってメッセージを生成し得る。手段６０２は、リレーアクティブ化情報要素が、図３および図４に関して前に説明したフィールドのうちの１つまたは複数を含むように、リレーアクティブ化ＩＥを生成し得る。手段６０２は、以下、すなわち、プローブ要求フレーム、プローブ応答フレーム、関連付け要求フレーム、関連付け応答フレーム、およびアクション肯定応答（ＡＣＫ）フレームのうちの１つ中にリレーアクティブ化情報要素を埋め込むことによってメッセージをさらに生成し得る。いくつかの態様では、手段６０２は、図５のブロック５０２に関して上記で説明した機能のうちの１つまたは複数を実行するように構成され得る。手段６０２は、たとえば、少なくとも、図２に示されたプロセッサ２０４を備え得る。
【００４８】
[0055]ワイヤレスデバイス６００は、送信のためにメッセージを与えるための手段６０４をさらに含み得る。いくつかの態様では、手段６０４は、手段６０２によって生成されたメッセージをワイヤレスデバイス６００内のバッファまたはメモリデバイスに転送することによって、送信のためにメッセージを与え得る。手段６０４は、次いで、１つまたは複数のアンテナを介してメッセージを送信し得る送信機にメッセージを与え得る。たとえば、図２に関して示されているように、手段６０４は、少なくともプロセッサ２０４を備え得る。いくつかの態様では、手段６０４は、メモリ２０６および送信機２１０の一方または両方をさらに備え得る。したがって、図２に関して示されているように、プロセッサ２０４は、たとえば、メモリ２０６内のバッファにメッセージを転送するように構成され得、次いで、アンテナ２１６を介した送信のためにメモリ２０６から送信機２１０にメッセージを与えるように構成され得る。
【００４９】
[0056]いくつかの態様では、ワイヤレスデバイス６００は、要求の順守または非順守を示す応答メッセージを受信するための手段をさらに含み得る（図６には示されていない）。一態様では、受信するための手段は、図５の方法５００に関して上記で説明した機能のうちの１つまたは複数を実行するように構成され得る。受信するための手段は、たとえば、少なくとも、図２に示された受信機２１２を備え得る。
【００５０】
[0057]図７は、別の態様による、リレー動作を変更するための方法のフローチャートである。方法７００は、リレー対応ワイヤレスノード、たとえば、図２のワイヤレスデバイス２０２としてより詳細に示され得る図１のリレーデバイス１０５ａ〜１０５ｃのいずれかによって実行され得る。さらに、以下の方法の各ステップは、図３および図４に関して前に説明した１つまたは複数のステップおよび／または特徴に対応し得る。ブロック７０２において、本方法は、装置のアクセスポイント動作を有効にするためのパーミッションを要求するか、または装置のアクセスポイント動作を無効にすることを告知するメッセージを生成することを含む。たとえば、メッセージは、図３および図４に関して前に説明した要求リレーアクティブ化ＩＥ３００／４００を備え得る。ブロック７０２は、図２のプロセッサ２０４によって実行され得る。ブロック７０４において、本方法は、送信のためにメッセージを与えることを含む。ブロック７０４は、図２のプロセッサ２０４によって実行され得る。
【００５１】
[0058]一態様では、本方法は、装置のアクセスポイント動作を有効にするためのパーミッションを許可または拒否する応答メッセージを受信することをさらに備え得る。たとえば、応答メッセージは、図３および図４に関して前に説明した応答リレーアクティブ化ＩＥ３００／４００を備え得る。応答メッセージは、たとえば、図２の受信機２１２を介してプロセッサ２０４において受信され得る。いくつかの態様では、本方法は、以下、すなわち、プローブ要求フレーム、プローブ応答フレーム、関連付け要求フレーム、関連付け応答フレーム、およびアクション肯定応答フレームのうちの１つ中にメッセージを埋め込むことをさらに含み得る。メッセージは、たとえば、図２のプロセッサ２０４によって、上記で説明したように埋め込まれ得る。いくつかの態様では、メッセージは、メッセージが、アクセスポイント動作を有効にするためのパーミッションを要求しているのかアクセスポイント動作を無効にすることを告知しているのかを示すフィールドを備え得る。そのようなフィールドは、図３および図４に関して前に説明したリレー動作アクティブ化／非アクティブ化フィールド３１０／４１０に対応し得る。いくつかの態様では、メッセージは、装置のアクセスポイント動作を無効にするかまたは装置のアクセスポイント動作を有効にする時間を示すフィールドを備え得る。そのようなフィールドは、図３および図４に関して前に説明した部分ＴＳＦフィールド３１８／４１８に対応し得る。いくつかの態様では、メッセージは、アクセスポイント動作に現在関連付けられているワイヤレス局の数を示すフィールドを備え得る。そのようなフィールドは、図３および図４に関して前に説明した局カウントフィールド３１６／４１６に対応し得る。さらに、いくつかの態様では、リレーデバイスがそれのワイヤレスリレーアクセスポイントを無効にする場合、本方法は、装置のリレーアクセスポイントが無効にされる場合、アクセスポイント動作に関連付けられた少なくとも１つのワイヤレスノードとの関連付けを解除するための少なくとも１つの関連付け解除メッセージを生成することをさらに備え得る。このようにして、リレーデバイスに以前関連付けられたワイヤレス局は、以前関連付けられたワイヤレス局にリレー機能をもはや与えないリレーデバイスに関連付けられたままにならない。
【００５２】
[0059]図８は、一態様による、ワイヤレスデバイスのいくつかの例示的な態様の簡略ブロック図である。ワイヤレスデバイスは、図８に示されているよりも多くの構成要素を有し得ることを、当業者は諒解されよう。ワイヤレスデバイス８００は、特許請求の範囲内に入るいくつかの顕著な特徴または態様について説明するのに有用な構成要素のみを含む。一態様では、ワイヤレスデバイス８００は、図７において上記に示した方法７００を実行するように構成される。ワイヤレスデバイス８００は、リレー動作の変更が望まれる任意の好適なリレー対応ワイヤレスデバイスであり得る。たとえば、ワイヤレスデバイス８００は、図２に示されたワイヤレスデバイス２０２としてより詳細に示され得る図１に示されたリレーデバイス１０５ａ〜１０５ｃのうちのいずれか１つを備え得る。
【００５３】
[0060]一態様では、ワイヤレスデバイス８００は、装置のアクセスポイント動作を有効にするためのパーミッションを要求するか、または装置のアクセスポイント動作を無効にすることを告知するメッセージを生成するための手段８０２を含む。いくつかの態様では、手段８０２は、リレーアクティブ化情報要素を生成することによってメッセージを生成し得る。手段８０２は、リレーアクティブ化情報要素が、図３および図４に関して前に説明したフィールドのうちの１つまたは複数を含むように、リレーアクティブ化ＩＥを生成し得る。手段８０２は、以下、すなわち、プローブ要求フレーム、プローブ応答フレーム、関連付けフレーム、関連付け応答フレーム、およびアクション肯定応答（ＡＣＫ）フレームのうちの１つ中にリレーアクティブ化情報要素を埋め込むことによってメッセージをさらに生成し得る。いくつかの態様では、手段８０２は、図７のブロック７０２に関して上記で説明した機能のうちの１つまたは複数を実行するように構成され得る。手段８０２は、たとえば、少なくとも、図２に示されたプロセッサ２０４を備え得る。
【００５４】
[0061]ワイヤレスデバイス８００は、送信のためにメッセージを与えるための手段８０４をさらに含み得る。いくつかの態様では、手段８０４は、手段８０２によって生成されたメッセージをワイヤレスデバイス８００内のバッファまたはメモリデバイスに転送することによって、送信のためにメッセージを与え得る。手段８０４は、次いで、１つまたは複数のアンテナを介してメッセージを送信し得る送信機にメッセージを与え得る。たとえば、図２に関して示されているように、手段８０４は、少なくともプロセッサ２０４を備え得る。いくつかの態様では、手段８０４は、メモリ２０６および送信機２１０の一方または両方をさらに備え得る。したがって、図２に関して示されているように、プロセッサ２０４は、たとえば、メモリ２０６内のバッファにメッセージを転送するように構成され得、次いで、アンテナ２１６を介した送信のためにメモリ２０６から送信機２１０にメッセージを与えるように構成され得る。
【００５５】
[0062]いくつかの態様では、ワイヤレスデバイス８００は、装置のアクセスポイント動作を有効にするためのパーミッションを許可または拒否する応答メッセージを受信するための手段をさらに含み得る（図８には示されていない）。一態様では、受信するための手段は、図７の方法７００に関して上記で説明した機能のうちの１つまたは複数を実行するように構成され得る。受信するための手段は、たとえば、少なくとも、図２に示された受信機２１２を備え得る。
【００５６】
[0063]本明細書で使用する「決定すること」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用する「チャネル幅」は、いくつかの態様では帯域幅を包含することがあり、または帯域幅と呼ばれることもある。
【００５７】
[0064]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００５８】
[0065]上記で説明した方法の様々な動作は、様々な（１つまたは複数の）ハードウェアおよび／またはソフトウェア構成要素、回路、および／または（１つまたは複数の）モジュールなど、それらの動作を実行することが可能な任意の好適な手段によって実行され得る。概して、図に示したどの動作も、その動作を実行することが可能な対応する機能的手段によって実行され得る。
【００５９】
[0066]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、計算デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６０】
[0067]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含まれるべきである。
【００６１】
[0068]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００６２】
[0069]説明した機能は、ハードウェア、ソフトウェア、ファームウェア、またはそれらの任意の組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。
【００６３】
[0070]したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【００６４】
[0071]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【００６５】
[0072]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。さらに、本明細書で説明した方法および技法をデバイスに提供するための任意の他の好適な技法が利用され得る。
【００６６】
[0073]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【００６７】
[0074]上記は本開示の態様を対象とするが、本開示の他の態様およびさらなる態様は、それの基本的範囲から逸脱することなく考案され得、それの範囲は以下の特許請求の範囲によって決定される。
【図１】
2016541163.tif 000003
【図２】
2016541163.tif 000004
【図３】
2016541163.tif 000005
【図４】
2016541163.tif 000006
【図５】
2016541163.tif 000007
【図６】
2016541163.tif 000008
【図７】
2016541163.tif 000009
【図８】
2016541163.tif 000010
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
ワイヤレスノードのリレー動作を変更するための装置であって、前記装置が、
リレー動作の変更が望まれる前記ワイヤレスノードに、それが非リレーワイヤレスノードとして現在動作している場合、前記ワイヤレスノードのアクセスポイント動作を有効にするように要求するか、または前記ワイヤレスノードに、それのアクセスポイント動作が現在有効にされている場合、前記ワイヤレスノードの前記アクセスポイント動作を無効にするように命令するメッセージを生成するように構成された処理システムと、
前記ワイヤレスノードへの送信のために前記メッセージを与えるための手段と、
を備える装置。
【請求項２】
前記処理システムが、前記ワイヤレスノードに前記アクセスポイント動作を有効にするように要求する前記メッセージの順守または非順守を示す応答メッセージを受信するようにさらに構成された、請求項１に記載の装置。
【請求項３】
前記メッセージがリレーアクティブ化情報要素を備え、ここにおいて、前記処理システムが、前記要求または前記命令を示すように前記リレーアクティブ化情報要素中の少なくとも１ビットを設定するようにさらに構成された、請求項１に記載の装置。
【請求項４】
前記処理システムが、以下、すなわち、プローブ要求フレーム、プローブ応答フレーム、関連付け要求フレーム、関連付け応答フレーム、およびアクション肯定応答フレームのうちの１つ中に前記メッセージを埋め込むように構成された、請求項１に記載の装置。
【請求項５】
前記メッセージは、前記ワイヤレスノードが前記アクセスポイント動作を有効にするかまたは前記アクセスポイント動作を無効にする時間を示すフィールドを備え、ここにおいて、前記処理システムが、前記時間を示すように前記フィールドの値を設定するようにさらに構成された、請求項１に記載の装置。
【請求項６】
前記メッセージは、前記ワイヤレスノードが前記アクセスポイント動作を提供する他のワイヤレスノードの数を示すためのフィールドを備え、ここにおいて、前記処理システムが、他のワイヤレスノードの前記数を示すように前記フィールドの値を設定するようにさらに構成された、請求項１に記載の装置。
【請求項７】
前記処理システムが、前記ワイヤレスノードの前記アクセスポイント動作を無効にすることを告知するか、または前記ワイヤレスノードの前記アクセスポイント動作を有効にするためのパーミッションを要求する、前記ワイヤレスノードからのメッセージを処理するようにさらに構成された、請求項１に記載の装置。
【請求項８】
ワイヤレスノードのリレー動作を変更するための方法であって、前記方法が、
リレー動作の変更が望まれる前記ワイヤレスノードに、それが非リレーワイヤレスノードとして現在動作している場合、前記ワイヤレスノードのアクセスポイント動作を有効にするように要求するか、または前記ワイヤレスノードに、それのアクセスポイント動作が現在有効にされている場合、前記ワイヤレスノードの前記アクセスポイント動作を無効にするように命令するメッセージを生成することと、
前記ワイヤレスノードへの送信のために前記メッセージを与えることとを備える方法。
【請求項９】
前記ワイヤレスノードに前記アクセスポイント動作を有効にするように要求する前記メッセージの順守または非順守を示す応答メッセージを受信することをさらに備える、請求項８に記載の方法。
【請求項１０】
前記メッセージが、前記要求または前記命令を示すための少なくとも１ビットを備えるリレーアクティブ化情報要素を備える、請求項８に記載の方法。
【請求項１１】
以下、すなわち、プローブ要求フレーム、プローブ応答フレーム、関連付け要求フレーム、関連付け応答フレーム、およびアクション肯定応答フレームのうちの１つ中に前記メッセージを埋め込むことをさらに備える、請求項８に記載の方法。
【請求項１２】
前記メッセージは、前記ワイヤレスノードが前記アクセスポイント動作を有効にするかまたは前記アクセスポイント動作を無効にする時間を示すフィールドを備える、請求項８に記載の方法。
【請求項１３】
前記メッセージは、前記ワイヤレスノードが前記アクセスポイント動作を提供する他のワイヤレスノードの数を示すフィールドを備える、請求項８に記載の方法。
【請求項１４】
前記ワイヤレスノードの前記アクセスポイント動作を無効にすることを告知するか、または前記ワイヤレスノードの前記アクセスポイント動作を有効にするためのパーミッションを要求する、前記ワイヤレスノードからのメッセージを処理することをさらに備える、請求項８に記載の方法。
【請求項１５】
リレー動作を変更するための装置であって、前記装置が、
リレー動作の変更を望む前記装置のために、それが非リレーワイヤレスノードとして現在動作している場合、前記装置のアクセスポイント動作を有効にするためのパーミッションを要求するか、またはそれのアクセスポイント動作が現在有効にされている場合、前記装置の前記アクセスポイント動作を無効にすることを告知するメッセージを生成するように構成された処理システムと、
送信のために前記メッセージを与えるための手段と、
を備える装置。
【請求項１６】
前記処理システムが、前記装置の前記アクセスポイント動作を有効にするための前記パーミッションを許可または拒否する応答メッセージを受信するようにさらに構成された、請求項１５に記載の装置。
【請求項１７】
前記メッセージがリレーアクティブ化情報要素を備え、ここにおいて、前記処理システムが、前記要求または前記告知を示すように前記リレーアクティブ化情報要素中の少なくとも１ビットを設定するようにさらに構成された、請求項１５に記載の装置。
【請求項１８】
前記処理システムが、以下、すなわち、プローブ要求フレーム、プローブ応答フレーム、関連付け要求フレーム、関連付け応答フレーム、およびアクション肯定応答フレームのうちの１つ中に前記メッセージを埋め込むように構成された、請求項１５に記載の装置。
【請求項１９】
前記メッセージが、前記装置の前記アクセスポイント動作を無効にするかまたは前記装置の前記アクセスポイント動作を有効にする時間を示すフィールドを備え、ここにおいて、前記処理システムが、前記時間を示すように前記フィールドの値を設定するようにさらに構成された、請求項１５に記載の装置。
【請求項２０】
前記メッセージは、前記装置が前記アクセスポイント動作を提供するワイヤレスノードの数を示すフィールドを備え、ここにおいて、前記処理システムが、ワイヤレスノードの前記数を示すように前記フィールドの値を設定するようにさらに構成された、請求項１５に記載の装置。
【請求項２１】
前記処理システムは、前記装置の前記アクセスポイント動作が無効にされる場合、前記装置が前記アクセスポイント動作を提供する少なくとも１つのワイヤレスノードとの関連付けを解除するための少なくとも１つの関連付け解除メッセージを生成するようにさらに構成された、請求項１５に記載の装置。
【請求項２２】
ワイヤレスノードのリレー動作を変更するための方法であって、前記方法が、
リレー動作の変更を望むワイヤレスノードのために、それが非リレーワイヤレスノードとして現在動作している場合、前記ワイヤレスノードのアクセスポイント動作を有効にするためのパーミッションを要求するか、またはそれのアクセスポイント動作が現在有効にされている場合、前記ワイヤレスノードの前記アクセスポイント動作を無効にすることを告知するメッセージを生成することと、
送信のために前記メッセージを与えることとを備える方法。
【請求項２３】
前記アクセスポイント動作を有効にするための前記パーミッションを許可または拒否する応答メッセージを受信することをさらに備える、請求項２２に記載の方法。
【請求項２４】
前記メッセージが、前記要求または前記告知を示すための少なくとも１ビットを備えるリレーアクティブ化情報要素を備える、請求項２２に記載の方法。
【請求項２５】
以下、すなわち、プローブ要求フレーム、プローブ応答フレーム、関連付け要求フレーム、関連付け応答フレーム、およびアクション肯定応答フレームのうちの１つ中に前記メッセージを埋め込むことをさらに備える、請求項２２に記載の方法。
【請求項２６】
前記メッセージが、前記アクセスポイント動作を無効にするかまたは前記アクセスポイント動作を有効にする時間を示すフィールドを備える、請求項２２に記載の方法。
【請求項２７】
前記メッセージが、前記アクセスポイント動作に現在関連付けられているワイヤレスノードの数を示すフィールドを備える、請求項２２に記載の方法。
【請求項２８】
前記アクセスポイント動作が無効にされる場合、前記アクセスポイント動作に関連付けられた少なくとも１つのワイヤレスノードとの関連付けを解除するための少なくとも１つの関連付け解除メッセージを生成することをさらに備える、請求項２２に記載の方法。
【手続補正２】
【補正対象書類名】明細書
【補正対象項目名】００６７
【補正方法】変更
【補正の内容】
【００６７】
[0074]上記は本開示の態様を対象とするが、本開示の他の態様およびさらなる態様は、それの基本的範囲から逸脱することなく考案され得、それの範囲は以下の特許請求の範囲によって決定される。
以下に、本願出願の当初の特許請求の範囲に記載された発明を付記する。
［Ｃ１］
ワイヤレスノードのリレー動作を変更するための装置であって、前記装置が、
前記ワイヤレスノードに前記ワイヤレスノードのアクセスポイント動作を有効にするように要求するか、または前記ワイヤレスノードに前記ワイヤレスノードの前記アクセスポイント動作を無効にするように命令するメッセージを生成するように構成された処理システムを備える装置。
［Ｃ２］
前記処理システムが、前記ワイヤレスノードに前記アクセスポイント動作を有効にするように要求する前記メッセージの順守または非順守を示す応答メッセージを受信するようにさらに構成された、Ｃ１に記載の装置。
［Ｃ３］
前記メッセージがリレーアクティブ化情報要素を備え、ここにおいて、前記処理システムが、前記要求または前記命令を示すように前記リレーアクティブ化情報要素中の少なくとも１ビットを設定するようにさらに構成された、Ｃ１に記載の装置。
［Ｃ４］
前記処理システムが、以下、すなわち、プローブ要求フレーム、プローブ応答フレーム、関連付け要求フレーム、関連付け応答フレーム、およびアクション肯定応答フレームのうちの１つ中に前記メッセージを埋め込むように構成された、Ｃ１に記載の装置。
［Ｃ５］
前記メッセージは、前記ワイヤレスノードが前記アクセスポイント動作を有効にするかまたは前記アクセスポイント動作を無効にする時間を示すフィールドを備え、ここにおいて、前記処理システムが、前記時間を示すように前記フィールドの値を設定するようにさらに構成された、Ｃ１に記載の装置。
［Ｃ６］
前記メッセージは、前記ワイヤレスノードが前記アクセスポイント動作を提供する他のワイヤレスノードの数を示すためのフィールドを備え、ここにおいて、前記処理システムが、他のワイヤレスノードの前記数を示すように前記フィールドの値を設定するようにさらに構成された、Ｃ１に記載の装置。
［Ｃ７］
前記処理システムが、前記ワイヤレスノードの前記アクセスポイント動作を無効にすることを告知するか、または前記ワイヤレスノードの前記アクセスポイント動作を有効にするためのパーミッションを要求する、前記ワイヤレスノードからのメッセージを処理するようにさらに構成された、Ｃ１に記載の装置。
［Ｃ８］
ワイヤレスノードのリレー動作を変更するための方法であって、前記方法が、
前記ワイヤレスノードに前記ワイヤレスノードのアクセスポイント動作を有効にするように要求するか、または前記ワイヤレスノードに前記ワイヤレスノードの前記アクセスポイント動作を無効にするように命令するメッセージを生成することと、
前記ワイヤレスノードへの送信のために前記メッセージを与えることとを備える方法。
［Ｃ９］
前記ワイヤレスノードに前記アクセスポイント動作を有効にするように要求する前記メッセージの順守または非順守を示す応答メッセージを受信することをさらに備える、Ｃ８に記載の方法。
［Ｃ１０］
前記メッセージが、前記要求または前記命令を示すための少なくとも１ビットを備えるリレーアクティブ化情報要素を備える、Ｃ８に記載の方法。
［Ｃ１１］
以下、すなわち、プローブ要求フレーム、プローブ応答フレーム、関連付け要求フレーム、関連付け応答フレーム、およびアクション肯定応答フレームのうちの１つ中に前記メッセージを埋め込むことをさらに備える、Ｃ８に記載の方法。
［Ｃ１２］
前記メッセージは、前記ワイヤレスノードが前記アクセスポイント動作を有効にするかまたは前記アクセスポイント動作を無効にする時間を示すフィールドを備える、Ｃ８に記載の方法。
［Ｃ１３］
前記メッセージは、前記ワイヤレスノードが前記アクセスポイント動作を提供する他のワイヤレスノードの数を示すフィールドを備える、Ｃ８に記載の方法。
［Ｃ１４］
前記ワイヤレスノードの前記アクセスポイント動作を無効にすることを告知するか、または前記ワイヤレスノードの前記アクセスポイント動作を有効にするためのパーミッションを要求する、前記ワイヤレスノードからのメッセージを処理することをさらに備える、Ｃ８に記載の方法。
［Ｃ１５］
リレー動作を変更するための装置であって、前記装置が、
前記装置のアクセスポイント動作を有効にするためのパーミッションを要求するか、または前記装置の前記アクセスポイント動作を無効にすることを告知するメッセージを生成するように構成された処理システムを備える装置。
［Ｃ１６］
前記処理システムが、前記装置の前記アクセスポイント動作を有効にするための前記パーミッションを許可または拒否する応答メッセージを受信するようにさらに構成された、Ｃ１５に記載の装置。
［Ｃ１７］
前記メッセージがリレーアクティブ化情報要素を備え、ここにおいて、前記処理システムが、前記要求または前記告知を示すように前記リレーアクティブ化情報要素中の少なくとも１ビットを設定するようにさらに構成された、Ｃ１５に記載の装置。
［Ｃ１８］
前記処理システムが、以下、すなわち、プローブ要求フレーム、プローブ応答フレーム、関連付け要求フレーム、関連付け応答フレーム、およびアクション肯定応答フレームのうちの１つ中に前記メッセージを埋め込むように構成された、Ｃ１５に記載の装置。
［Ｃ１９］
前記メッセージが、前記装置の前記アクセスポイント動作を無効にするかまたは前記装置の前記アクセスポイント動作を有効にする時間を示すフィールドを備え、ここにおいて、前記処理システムが、前記時間を示すように前記フィールドの値を設定するようにさらに構成された、Ｃ１５に記載の装置。
［Ｃ２０］
前記メッセージは、前記装置が前記アクセスポイント動作を提供するワイヤレスノードの数を示すフィールドを備え、ここにおいて、前記処理システムが、ワイヤレスノードの前記数を示すように前記フィールドの値を設定するようにさらに構成された、Ｃ１５に記載の装置。
［Ｃ２１］
前記処理システムは、前記装置の前記アクセスポイント動作が無効にされる場合、前記装置が前記アクセスポイント動作を提供する少なくとも１つのワイヤレスノードとの関連付けを解除するための少なくとも１つの関連付け解除メッセージを生成するようにさらに構成された、Ｃ１５に記載の装置。
［Ｃ２２］
リレー動作を変更するための方法であって、前記方法が、
アクセスポイント動作を有効にするためのパーミッションを要求するか、または前記アクセスポイント動作を無効にすることを告知するメッセージを生成することと、
送信のために前記メッセージを与えることとを備える方法。
［Ｃ２３］
前記アクセスポイント動作を有効にするための前記パーミッションを許可または拒否する応答メッセージを受信することをさらに備える、Ｃ２２に記載の方法。
［Ｃ２４］
前記メッセージが、前記要求または前記告知を示すための少なくとも１ビットを備えるリレーアクティブ化情報要素を備える、Ｃ２２に記載の方法。
［Ｃ２５］
以下、すなわち、プローブ要求フレーム、プローブ応答フレーム、関連付け要求フレーム、関連付け応答フレーム、およびアクション肯定応答フレームのうちの１つ中に前記メッセージを埋め込むことをさらに備える、Ｃ２２に記載の方法。
［Ｃ２６］
前記メッセージが、前記アクセスポイント動作を無効にするかまたは前記アクセスポイント動作を有効にする時間を示すフィールドを備える、Ｃ２２に記載の方法。
［Ｃ２７］
前記メッセージが、前記アクセスポイント動作に現在関連付けられているワイヤレスノードの数を示すフィールドを備える、Ｃ２２に記載の方法。
［Ｃ２８］
前記アクセスポイント動作が無効にされる場合、前記アクセスポイント動作に関連付けられた少なくとも１つのワイヤレスノードとの関連付けを解除するための少なくとも１つの関連付け解除メッセージを生成することをさらに備える、Ｃ２２に記載の方法。
【国際調査報告】
2016541163.tif 000011
2016541163.tif 000012
2016541163.tif 000013